【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】無線通信方法と無線通信装置
【手続補正２】
【補正対象書類名】明細書
【補正対象項目名】特許請求の範囲
【補正方法】変更
【補正の内容】
【特許請求の範囲】
【請求項１】
直交周波数多重変調により複数のサブキャリアに変調されたダイバーシティ用データを信号を複数のアンテナで受信し、
上記複数のアンテナで受信した上記無線送出されたダイバーシティ用データのそれぞれについて、逆周波数変換処理を行い上記サブキャリアのエネルギーを算出し、
該算出したサブキャリアのエネルギーが所定レベルを越えたサブキャリアの本数が多いアンテナを選択する、
無線通信方法。
【請求項２】
複数のアンテナで受信した上記無線送出されたダイバーシティ用データのそれぞれについて受信電界強度を算出し、
複数のアンテナで受信した上記無線送出されたダイバーシティ用データのそれぞれについて、フーリエ変換を行い上記サブキャリアのエネルギーを算出し、
上記算出した受信電力強度が第１レベルを越えており、かつ、上記算出したサブキャリアのエネルギーが所定算出したサブキャリアのエネルギーが第２レベル以下の数が少ない、信号を受信したアンテナを選択する、
無線通信方法。
【請求項３】
無線信号を受信する無線通信装置であって、
上記無線通信装置は、
直交周波数多重変調により複数のサブキャリアに変調されたダイバーシティ用データを受信する複数のアンテナと、
上記複数のアンテナで受信した信号を切り換えて出力する切り換え制御部と、
上記複数のアンテナで受信したダイバーシティ用データのそれぞれについて、逆周波数変換処理を行い上記サブキャリアのエネルギーを算出する信号処理手段と、
該算出したサブキャリアのエネルギーが所定レベルを越えたサブキャリアの本数が多いアンテナを選択する評価手段と
を有し、上記切り換え制御部は上記評価手段で選択したアンテナを選択する
無線通信装置。
【請求項４】
上記ダイバーシティ用データは、ＢＰＳＫ変調またはＱＰＳＫ変調されている、
請求項３記載の無線通信装置。
【請求項５】
無線信号を受信する無線通信装置であって、
上記装置は、直交周波数多重変調により複数のサブキャリアに変調されたダイバーシティ用データを送出し、
上記無線通信装置は、
直交周波数多重変調により複数のサブキャリアに変調されたダイバーシティ用データを受信する複数のアンテナと、
上記複数のアンテナで受信した信号を切り換えて出力する切り換え制御部と、
上記複数のアンテナで受信した上記無線送出されたダイバーシティ用データのそれぞれについて受信電界強度を算出し、かつ、上記複数のアンテナで受信した上記無線送出されたダイバーシティ用データのそれぞれについて逆周波数変換処理を行い上記サブキャリアのエネルギーを算出する信号処理手段と、
上記算出した受信電力強度が第１レベルを越えており、かつ、上記算出したサブキャリアのエネルギーが所定算出したサブキャリアのエネルギーが第２レベル以下の数が少ない、信号を受信したアンテナを選択する、評価手段と
を有し、
上記切り換え制御部は上記評価手段で選択したアンテナを選択する
無線通信装置。
【請求項６】
上記評価手段は、上記算出した受信電力強度が第１レベルを越えていないときは、最大の受信電力強度の示しており、かつ、上記算出したサブキャリアのエネルギーが所定算出したサブキャリアのエネルギーが第２レベル以下の数が少ない、信号を受信したアンテナを選択する、
請求項５記載の無線通信装置。
【請求項７】
上記ダイバーシティ用データは、ＢＰＳＫ変調またはＱＰＳＫ変調されている、
請求項５記載の無線通信装置。
【請求項８】
上記ダイバーシティ用データはデータ伝送フォーマットの空き領域に挿入されて無線送出される、
請求項５記載の無線通信装置。
【請求項９】
上記ダイバーシティ用データはデータ伝送用制御信号である、
請求項５記載の無線通信装置。
【請求項１０】
上記送信装置は上記無線送出データをフレームごと伝送し、当該フレームは、第１の同期獲得用データ格納領域と管理データ格納領域とからなる第１の部分、第２の同期獲得用データ格納領域と伝送すべきデータを格納するパケットデータ格納領域とで構成される第２の部分とを有し、
上記ダイバーシティ用データは上記管理データ格納領域の空き領域に挿入されている、
請求項８記載の無線通信装置。
【請求項１１】
上記送信装置は上記無線送出データをフレームごと伝送し、当該フレームは、第１の同期獲得用データ格納領域と管理データ格納領域とからなる第１の部分、第２の同期獲得用データ格納領域と伝送すべきデータを格納するパケットデータ格納領域とで構成される第２の部分とを有し、
上記パケットデータ格納領域には圧縮されたデータが格納され、
上記ダイバーシティ用データは上記パケットデータ格納領域の空き領域に挿入され、
上記管理データ格納領域の空き領域に上記ダイバーシティ用データが格納された上記パケットデータ格納領域の位置およびデータ量が格納されている
請求項８記載の無線通信装置。
【請求項１２】
上記圧縮されたデータは画像圧縮方式で圧縮されたビデオ信号である、
請求項１１記載の無線通信装置。
【手続補正３】
【補正対象書類名】明細書
【補正対象項目名】００１３
【補正方法】変更
【補正の内容】
【００１３】
本発明の目的は、ＯＦＤＭ方式でダイバーシティ用データを送出したとき、せ適切に最適な受信状態のアンテナを識別できる無線通信方法と装置を提供することにある。
本発明の他の目的は、そのようなダイバーシティ用データを効果的に伝送し、そのダイバーシティ用データを受信して上記のごとく最適なアンテナを識別可能な無線通信方法と装置を提供することにある。
【手続補正４】
【補正対象書類名】明細書
【補正対象項目名】００１４
【補正方法】変更
【補正の内容】
【００１４】
【課題を解決するための手段】
本発明の第１の観点によれば、直交周波数多重変調により複数のサブキャリアに変調されたダイバーシティ用データを信号を複数のアンテナで受信し、上記複数のアンテナで受信した上記無線送出されたダイバーシティ用データのそれぞれについて、逆周波数変換処理を行い上記サブキャリアのエネルギーを算出し、該算出したサブキャリアのエネルギーが所定レベルを越えたサブキャリアの本数が多いアンテナを選択する、無線通信方法が提供される。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明の第２の観点によれば、複数のアンテナで受信した上記無線送出されたダイバーシティ用データのそれぞれについて受信電界強度を算出し、複数のアンテナで受信した上記無線送出されたダイバーシティ用データのそれぞれについて、フーリエ変換を行い上記サブキャリアのエネルギーを算出し、上記算出した受信電力強度が第１レベルを越えており、かつ、上記算出したサブキャリアのエネルギーが所定算出したサブキャリアのエネルギーが第２レベル以下の数が少ない、信号を受信したアンテナを選択する、無線通信方法が提供される。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
本発明の第３の観点によれば、無線信号を受信する無線通信装置であって、上記無線通信装置は、直交周波数多重変調により複数のサブキャリアに変調されたダイバーシティ用データを受信する複数のアンテナと、上記複数のアンテナで受信した信号を切り換えて出力する切り換え制御部と、上記複数のアンテナで受信したダイバーシティ用データのそれぞれについて、逆周波数変換処理を行い上記サブキャリアのエネルギーを算出する信号処理手段と、該算出したサブキャリアのエネルギーが所定レベルを越えたサブキャリアの本数が多いアンテナを選択する評価手段とを有し、上記切り換え制御部は上記評価手段で選択したアンテナを選択する無線通信装置が提供される。
【手続補正１３】
【補正対象書類名】明細書
【補正対象項目名】００２５
【補正方法】変更
【補正の内容】
【００２５】
第３の観点の発明は第１の観点の無線通信方法を装置に実現した場合である。
【手続補正１４】
【補正対象書類名】明細書
【補正対象項目名】００２６
【補正方法】変更
【補正の内容】
【００２６】
本発明の第４の観点によれば、  無線信号を受信する無線通信装置であって、上記装置は、直交周波数多重変調により複数のサブキャリアに変調されたダイバーシティ用データを送出し、上記無線通信装置は、直交周波数多重変調により複数のサブキャリアに変調されたダイバーシティ用データを受信する複数のアンテナと、上記複数のアンテナで受信した信号を切り換えて出力する切り換え制御部と、上記複数のアンテナで受信した上記無線送出されたダイバーシティ用データのそれぞれについて受信電界強度を算出し、かつ、上記複数のアンテナで受信した上記無線送出されたダイバーシティ用データのそれぞれについて逆周波数変換処理を行い上記サブキャリアのエネルギーを算出する信号処理手段と、上記算出した受信電力強度が第１レベルを越えており、かつ、上記算出したサブキャリアのエネルギーが所定算出したサブキャリアのエネルギーが第２レベル以下の数が少ない、信号を受信したアンテナを選択する、評価手段とを有し、上記切り換え制御部は上記評価手段で選択したアンテナを選択する無線通信装置が提供される。
【手続補正１５】
【補正対象書類名】明細書
【補正対象項目名】００２８
【補正方法】削除
【補正の内容】